(57)【要約】【課題】高温高圧蒸気滅菌処理を行っても蒸気や水分等が浸入しない構造であっても、接続ランドに接続された複数の信号線の外縁の大きさを小さくすることができて、電子内視鏡の小型化や性能アップに寄与することができる電子内視鏡用撮像装置を提供すること。【解決手段】信号ケーブル１１の複数の信号線１２が個別に接続される複数の接続ランド１０を固体撮像素子保持枠９の後端寄りの部分の外周部に配置して、それより前寄りの位置において気密接続筒１３の後端部を固体撮像素子保持枠９の外周部に気密に固着し、接続ランド１０に接続された信号線１２の外縁Ｄが気密接続筒１３の外形内に納まるように構成した。【選択図】      図１
2007014653.tif 000002
【特許請求の範囲】
【請求項１】
固体撮像素子を保持する固体撮像素子保持枠の外周部に、対物光学系を保持する対物鏡筒と先端側で気密に接続される気密接続筒の後端部分が被嵌されて気密に固着接続された電子内視鏡用撮像装置において、
信号ケーブルの複数の信号線が個別に接続される複数の接続ランドを上記固体撮像素子保持枠の後端寄りの部分の外周部に配置して、それより前寄りの位置において上記気密接続筒の後端部を上記固体撮像素子保持枠の外周部に気密に固着し、上記接続ランドに接続された信号線の外縁が上記気密接続筒の外形内に納まるように構成したことを特徴とする電子内視鏡用撮像装置。
【請求項２】
上記固体撮像素子保持枠の上記複数の接続ランドが配置されている後端寄りの部分の外形が、それより前寄りの位置の上記気密接続筒が固着されている部分の外形より小さく形成されている請求項１記載の電子内視鏡用撮像装置。
【請求項３】
上記複数の接続ランド部分を囲む導電性のシールド筒が設けられていて、上記シールド筒の外形が上記対物鏡筒の外形より大きくない外形に形成されて、上記シールド筒の先端部分が上記気密接続筒の外周部に被嵌固着されている請求項１又は２記載の電子内視鏡用撮像装置。
【発明の詳細な説明】
【技術分野】
【０００１】
この発明は、電子内視鏡の挿入部先端に内蔵される電子内視鏡用撮像装置に関する。
【背景技術】
【０００２】
電子内視鏡用撮像装置は一般に、固体撮像素子を保持する固体撮像素子保持枠の外周部に、対物光学系を保持する対物鏡筒と先端側で気密に接続される気密接続筒の後端部分が被嵌されて気密に固着接続され、それによって、高温高圧蒸気滅菌装置内等においても蒸気や水分等が浸入しないようになっている（例えば、特許文献１）。
【特許文献１】特開２０００−６０７９３
【発明の開示】
【発明が解決しようとする課題】
【０００３】
図７は従来の電子内視鏡用撮像装置の一例を示しており、固体撮像素子９１を保持する固体撮像素子保持枠９２が気密接続筒９３により気密に囲まれていて、信号ケーブルの複数の信号線９４が個別に接続される接続ランド９５が気密接続筒９３の後端外周面に配置されている。
【０００４】
接続ランド９５は、その部分だけを単体で図示する図８に示されるように、気密接続筒９３の後端付近の外周面の全周に配置されている。図７に示される９６は、対物光学系９７を内部に保持する対物鏡筒である。
【０００５】
しかし、そのような配置を採ると、接続ランド９５に接続された複数の信号線９４の外縁Ｄの大きさが大きくなってしまうため、人体等に挿入される内視鏡の挿入部先端に内蔵されるという特殊性から、コンマ数ミリという単位であっても可能な限りの小型化をすることが求められている電子内視鏡用撮像装置の小型化の障害になり、極細径の電子内視鏡への適用が困難になったり、照明用ライトガイドやチャンネルチューブ等を細く形成せざるを得なくなる等、内視鏡としての十分な性能を発揮できない場合がある。
【０００６】
そこで本発明は、高温高圧蒸気滅菌処理を行っても蒸気や水分等が浸入しない構造であっても、接続ランドに接続された複数の信号線の外縁の大きさを小さくすることができて、電子内視鏡の小型化や性能アップに寄与することができる電子内視鏡用撮像装置を提供することを目的とする。
【課題を解決するための手段】
【０００７】
上記の目的を達成するため、本発明の電子内視鏡用撮像装置は、固体撮像素子を保持する固体撮像素子保持枠の外周部に、対物光学系を保持する対物鏡筒と先端側で気密に接続される気密接続筒の後端部分が被嵌されて気密に固着接続された電子内視鏡用撮像装置において、信号ケーブルの複数の信号線が個別に接続される複数の接続ランドを固体撮像素子保持枠の後端寄りの部分の外周部に配置して、それより前寄りの位置において気密接続筒の後端部を固体撮像素子保持枠の外周部に気密に固着し、接続ランドに接続された信号線の外縁が気密接続筒の外形内に納まるように構成したものである。
【０００８】
なお、固体撮像素子保持枠の複数の接続ランドが配置されている後端寄りの部分の外形が、それより前寄りの位置の気密接続筒が固着されている部分の外形より小さく形成されていてもよい。
【０００９】
また、複数の接続ランド部分を囲む導電性のシールド筒が設けられていて、シールド筒の外形が対物鏡筒の外形より大きくない外形に形成されて、シールド筒の先端部分が気密接続筒の外周部に被嵌固着されていてもよい。
【発明の効果】
【００１０】
本発明によれば、信号ケーブルの複数の信号線が個別に接続される複数の接続ランドを固体撮像素子保持枠の後端寄りの部分の外周部に配置して、それより前寄りの位置において気密接続筒の後端部を固体撮像素子保持枠の外周部に気密に固着し、接続ランドに接続された信号線の外縁が気密接続筒の外形内に納まるようにしたことにより、高温高圧蒸気滅菌処理を行っても蒸気や水分等が浸入しない構造であっても、接続ランドに接続された複数の信号線の外縁の大きさを小さくすることが可能となり、極細径の電子内視鏡に適用できる小型化や、照明用ライトガイド又はチャンネルチューブ等を太く形成する等の電子内視鏡の性能アップに寄与することができる。
【発明を実施するための最良の形態】
【００１１】
固体撮像素子を保持する固体撮像素子保持枠の外周部に、対物光学系を保持する対物鏡筒と先端側で気密に接続される気密接続筒の後端部分が被嵌されて気密に固着接続された電子内視鏡用撮像装置において、信号ケーブルの複数の信号線が個別に接続される複数の接続ランドを固体撮像素子保持枠の後端寄りの部分の外周部に配置して、それより前寄りの位置において気密接続筒の後端部を固体撮像素子保持枠の外周部に気密に固着し、接続ランドに接続された信号線の外縁が気密接続筒の外形内に納まるように構成したものである。
【実施例】
【００１２】
図面を参照して本発明の実施例を説明する。
図３は電子内視鏡の挿入部１の先端部分を示しており、挿入部１の最先端部に連結された先端部本体２の先端面に観察窓３と照明窓４が並んで配置されている。
【００１３】
観察窓３の奥に配置された対物光学系５は複数のレンズによって構成されているが、それらは一つの円筒状の対物鏡筒６内に固着されている。照明窓４の奥には、照明用ライトガイドファイババンドル７の射出端部が配置されている。１１は、挿入部１内に全長にわたって挿通配置された信号ケーブルである。
【００１４】
図１に拡大して示されるように、対物光学系５による被写体の投影位置には固体撮像素子８の撮像面８ａが配置されている。固体撮像素子８は、例えばセラミック等のような電気絶縁性の材料からなる略立方体のブロック状の固体撮像素子保持枠９の前面に取り付けられている。固体撮像素子保持枠９内には電気配線が設けられ、ＩＣその他の電子部品も内装されている。
【００１５】
II−II断面を図示する図２に示されるように、固体撮像素子保持枠９は略正方形状の断面形状に形成されていて、信号ケーブル１１の先端から前方に延出する信号線１２が半田付け等で個別に接続される複数の接続ランド１０が、固体撮像素子保持枠９の後端部近くの外周部に周方向に並列に並んで配置されている。
【００１６】
図１に戻って、１３は、先端側が対物鏡筒６と気密に接続固着されて後端側が固体撮像素子保持枠９と接続固着された金属製の気密接続筒であり、固体撮像素子保持枠９と同程度の熱膨張率を有する例えばコバールや４２アロイ等のようなニッケルを含む合金材により形成されている。
【００１７】
気密接続筒１３の先端部分は対物鏡筒６の後端に形成された孔内に嵌挿されてそこに溶接又はロー接等により気密に接続固着され（封止接続部Ａ）、気密接続筒１３の後端部分は、接続ランド１０より前寄りの位置で固体撮像素子保持枠９の中間部分の外周面に被嵌されてそこに溶接又はロー接等により気密に接続固着され、それによって、高温高圧蒸気滅菌装置内等においても蒸気や水分等が浸入しないようになっている（封止接続部Ｂ）。
【００１８】
その結果、各接続ランド１０に接続された複数の信号線１２の外縁Ｄの大きさを対物鏡筒６の外形より小さく、さらには気密接続筒１３の外形より小さく構成することができるので、例えば図３に示されるように、信号線１２がそれと隣接して配置される照明用ライトガイドファイババンドル７の被覆チューブ緊縛糸７ａ等と干渉することなく先端部本体２を細く形成することが可能となる。また、接続ランド１０が金属製の気密接続筒１３に配置されないので、電気絶縁処理等も容易である。
【００１９】
図４は本発明の第２の実施例の電子内視鏡用撮像装置を示しており、図５の単体斜視図にも示されるように、複数の接続ランド１０が配置されている固体撮像素子保持枠９の後端寄りの部分の外形寸法を、それより前寄りの位置の気密接続筒１３が固着されている部分の外形寸法より小さく形成したものである。このように構成することにより、各接続ランド１０に接続された複数の信号線１２の外縁Ｄの大きさを、より小さく構成することができる。
【００２０】
図６は本発明の第３の実施例の電子内視鏡用撮像装置を示しており、上述の第２の実施例の構成に加えて、複数の接続ランド１０部分とそこに接続された信号線１２の先端部分とを囲む導電性のシールド筒１４を設けたものである。シールド筒１４は先端部分が気密接続筒１３の外周部の中間部分に被嵌されてそこに溶接又はロー接等で接続固着されている。
【００２１】
その結果、シールド筒１４の外形を対物鏡筒６の外形より大きくない外形に形成することができ、シールド筒１４を設けた場合でも電子内視鏡用撮像装置を小型に構成することができる。
【図面の簡単な説明】
【００２２】
【図１】本発明の第１の実施例の電子内視鏡用撮像装置の側面断面図である。
【図２】本発明の第１の実施例の電子内視鏡用撮像装置の図１におけるII−II断面図である。
【図３】本発明の第１の実施例の電子内視鏡の挿入部の先端部分の側面断面図である。
【図４】本発明の第２の実施例の電子内視鏡用撮像装置の側面断面図である。
【図５】本発明の第２の実施例の電子内視鏡用撮像装置の部分斜視図である。
【図６】本発明の第３の実施例の電子内視鏡用撮像装置の側面断面図である。
【図７】従来の電子内視鏡用撮像装置の側面断面図である。
【図８】従来の電子内視鏡用撮像装置の部分斜視図である。
【符号の説明】
【００２３】
５  対物光学系
６  対物鏡筒
８  固体撮像素子
８ａ  撮像面
９  固体撮像素子保持枠
１０  接続ランド
１１  信号ケーブル
１２  信号線
１３  気密接続筒
１４  シールド筒
Ｄ  信号線の外縁
【図１】
2007014653.tif 000003
【図２】
2007014653.tif 000004
【図３】
2007014653.tif 000005
【図４】
2007014653.tif 000006
【図５】
2007014653.tif 000007
【図６】
2007014653.tif 000008
【図７】
2007014653.tif 000009
【図８】
2007014653.tif 000010